(57)【要約】      （修正有）【課題】縦枠と横枠との直角度を容易に確保でき、位置決めも簡単で、組立作業が容易に行え、堅固で剛性構造の掲示板保持枠を有する選挙ポスター掲示装置を提供する。【解決手段】ポスター貼付用区画枠線イや掲示番号ロ等を表示したポスター掲示板１と、上下横枠３，４、左右縦枠５，中間横枠７及び中間縦枠を枠組みすることにより、表面側に配置したポスター掲示板１の周縁部を保持するように形成した掲示板保持枠２とからなる選挙ポスター掲示装置であって、上下横枠３，４及び中間横枠７と中間縦枠との組み付け部は、縦横の枠どうしを直角に位置規制する嵌合用切欠溝を介して互いに嵌合させた状態でネジ部材により連結してなる。【選択図】図１２
2006171394.tif 000002
【特許請求の範囲】
【請求項１】
ポスター貼付用区画枠線、掲示番号などを表示したポスター掲示板と、上下横枠、左右縦枠、中間横枠及び中間縦枠を枠組みすることによって、その表面側に配置した前記ポスター掲示板の周縁部を保持するように形成した掲示板保持枠と、からなる選挙ポスター掲示装置であって、
掲示板保持枠を形成する上下横枠及び中間横枠の各横枠と中間縦枠との組み付け部は、組み付ける縦横の枠どうしを直角に位置規制するための嵌合用切欠溝を介して互いに嵌合させた状態でネジ部材により連結してなることを特徴とする選挙ポスター掲示装置。
【請求項２】
掲示板保持枠の表面側にポスター掲示板を配置してその周縁部を保持した状態で、ポスター掲示板の表面側所定位置からポスター掲示板を貫通して中間縦枠側又は中間横枠側に設けたナットにビスをねじ込んでポスター掲示板を中間縦枠及び又は中間横枠に押し付けて固定するようにしたことを特徴とする請求項１に記載の選挙ポスター掲示装置。
【請求項３】
上下横枠及び中間横枠は夫々裏面側にリップ付き溝部を全長に形成した溝形材からなるもので、上横枠は表面側上縁部に掲示板上縁部保持溝を有し、下横枠は表面側下縁部に掲示板下縁部保持溝を有し、左右各縦枠は、上下横枠及び中間横枠の夫々端面を塞ぐ端板部と、上下横枠及び中間横枠の裏面側に臨む幅広側板部と、それらの表面側に臨む幅狭側板部とを形成した断面略Ｌ字状型材からなるもので、幅広側板部から挿通したボルトを、上下横枠及び中間横枠のリップ付き溝部に長手方向スライド自在で回転不能に挿入したナットに螺合することにより、上下横枠及び中間横枠に連結してなることを特徴とする請求項１又は２に記載の選挙ポスター掲示装置。
【請求項４】
上下各横枠の裏面側に複数個のパイプクランプを配置して、各パイプクランプのクランプ本体を、当該クランプ本体から各横枠のリップ付き溝部に長手方向スライド自在で回転不能に挿入したナットにボルトを螺合することにより取付け固定してなることを特徴とする請求項３に記載の選挙ポスター掲示装置。
【請求項５】
上下横枠及び中間横枠の夫々リップ付き溝部には、当該溝部内にナットを挿入するためのナット挿入口を設けてなることを特徴とする請求項３又は４に記載の選挙ポスター掲示装置。
【発明の詳細な説明】
【技術分野】
【０００１】
本発明は、公職選挙に使用される立候補者ポスターなどの選挙ポスターを貼るための選挙ポスター掲示装置に関する。
【背景技術】
【０００２】
この種の掲示装置は、例えば特許文献１に記載されているように、ポスター貼付用区画枠線、掲示番号及び所要事項を表示したポスター掲示板と、上下支持材、その中間の補強材及びこれらをつなぐ縦連結材からなる掲示板保持枠とからなり、掲示板保持枠は、上下支持材及びその中間の補強材に複数の縦連結材を架け渡し、ボルト・ナットで固定することにより形成されるもので、この掲示板保持枠の表面側にポスター掲示板を配置して、上支持材の下向き係止片と下支持材の上向き係止片とでもってポスター掲示板の上下縁部を夫々保持するようになっている。
【特許文献１】特開２００２−１４９０９９号公報
【発明の開示】
【発明が解決しようとする課題】
【０００３】
特許文献１に記載された選挙ポスター掲示装置では、掲示板保持枠を組み立てるのに、上下支持材及び中間補強材の上に複数の縦連結材を重ね合わせて、その重合部をボルト・ナットで固定するようにしているため、上下支持材及び中間補強材と縦連結材との直角度を出したり、それらを位置決めするのに手間がかかり、また組み立てた掲示板保持枠の剛性が十分でなく、枠部材が変形し易く、特に強風時等には掲示板保持枠がガタツキを生じるという問題がある。
【０００４】
本発明は、上記の課題に鑑み、掲示板保持枠を組み立てるにあたり、保持枠を形成する縦枠と横枠との直角度を容易に確保でき、位置決めも簡単となって、組立作業が容易に行え、堅固で剛性構造の掲示板保持枠を有する選挙ポスター掲示装置を提供することを目的とする。また本発明の他の目的は、掲示板保持枠を所要場所に簡単容易に設置できる選挙ポスター掲示装置を提供することにある。
【課題を解決するための手段】
【０００５】
上記課題を解決するための手段を、後述する実施形態の参照符号を付して説明すると、請求項１に係る発明は、ポスター貼付用区画枠線イ、掲示番号ロなどを表示したポスター掲示板１と、上下横枠３，４、左右縦枠５，６、中間横枠７及び中間縦枠８を枠組みすることによって、その表面側に配置した前記ポスター掲示板１の周縁部を保持するように形成した掲示板保持枠２と、からなる選挙ポスター掲示装置であって、掲示板保持枠２を形成する上下横枠３，４及び中間横枠７の各横枠と中間縦枠８との組み付け部は、組み付ける縦横の枠どうしを直角に位置規制するための嵌合用切欠溝１８及び又は１４を介して互いに嵌合させた状態でネジ部材２１により連結してなることを特徴とする。
【０００６】
請求項２は、請求項１に記載の選挙ポスター掲示装置において、掲示板保持枠２の表面側にポスター掲示板１を配置してその周縁部を保持した状態で、ポスター掲示板１の表面側所定位置からポスター掲示板１を貫通して中間縦枠８側及び又は中間横枠７側に設けたナット２０にビス２２をねじ込んでポスター掲示板１を中間縦枠８及び中間横枠７に押し付けて固定するようにしたことを特徴とする。
【０００７】
請求項３は、請求項１又は２に記載の選挙ポスター掲示装置において、上下横枠３，４及び中間横枠７は夫々裏面側にリップ９付き溝部１０を全長に形成した溝形材からなるもので、上横枠３は表面側上縁部に掲示板上縁部保持溝１１を有し、下横枠４は表面側下縁部に掲示板下縁部保持溝１３を有し、左右各縦枠５，６は、上下横枠３，４及び中間横枠７の夫々端面を塞ぐ端板部ｃと、上下横枠３，４及び中間横枠７の裏面側に臨む幅広側板部ａと、それらの表面側に臨む幅狭側板部ｂとを形成した断面略Ｌ字状型材からなるもので、幅広側板部ａから挿通したボルト１６を、上下横枠３，４及び中間横枠７のリップ９付き溝部１０に長手方向スライド自在で回転不能に挿入したナット１７に螺合することにより、上下横枠３，４及び中間横枠７に連結してなることを特徴とする。
【０００８】
請求項４は、請求項３に記載の選挙ポスター掲示装置において、上下各横枠３，４の裏面側に複数個のパイプクランプ２５を配置して、各パイプクランプ２５のクランプ本体２６を、当該クランプ本体２６から各横枠３，４のリップ９付き溝部１０に長手方向スライド自在で回転不能に挿入したナット３０にボルト３１を螺合することにより取付け固定してなることを特徴とする。
【０００９】
請求項５は、請求項３又は４に記載の選挙ポスター掲示装置において、上下横枠３，４及び中間横枠７の夫々リップ９付き溝部１０には、当該溝部１０内にナット１７，３０を挿入するためのナット挿入口１５を設けてなることを特徴とする。
【発明の効果】
【００１０】
上記解決手段による発明の効果を、後述する実施形態の参照符号を付して説明すると、請求項１に係る発明によれば、上下横枠３，４及び中間横枠７の各横枠と中間縦枠８との組み付け部が、組み付ける縦横の枠どうしを直角に位置規制する嵌合用切欠溝１８及び又は１４を介して互いに嵌合させた状態でネジ部材２１にて連結するようにしているから、各横枠３，４，７と各縦枠８との直角度が容易に確保されると共に、上下横枠３，４及び中間横枠７と中間縦枠８との位置決めが簡単となり、これら横枠３，４，７と縦枠８との格子状組み付け作業を的確にして容易に行うことができる。また縦横の枠どうしを嵌合用切欠溝１８及び又は１４を介して互いに嵌合させるようにすることによって、掲示板保持枠２を堅固で剛性構造にすることが可能となる。
【００１１】
請求項２に係る発明によれば、ポスター掲示板１を貫通して中間縦枠８側及び又は中間横枠７側に設けたナット２０にビス２２をねじ込んでポスター掲示板１を中間縦枠８及び中間横枠７に押し付けて固定することにより、ポスター掲示板１を掲示板保持枠２に確実に固定できるから、強風等によってポスター掲示板１がガタついたり、ポスター掲示板１が掲示板保持枠２から離脱するようなおそれがない。
【００１２】
請求項３に係る発明によれば、上下横枠３，４の掲示板上縁部保持溝１１及び掲示板下縁部保持溝１３によってポスター掲示板１の上下縁部を的確に保持できて掲示板１のガタツキを防止できると共に、断面略Ｌ字状型材からなる左右縦枠５，６を上下横枠３，４及び中間横枠７に連結することによって掲示板保持枠２を一層堅固な剛性構造とすることができ、また左右縦枠５，６の取り付けるにあたり、幅広側板部ａから挿通したボルト１６を上下横枠３，４及び中間横枠７のリップ９付き溝部１０に挿入したナット１７に螺合するようにしているから、上下横枠３，４及び中間横枠７に対する各縦枠５，６の連結位置を横枠長手方向に調整することが可能となる。
【００１３】
請求項４に係る発明によれば、パイプクランプ２５によって掲示板保持枠２を鋼管製支柱Ｐに対し簡単容易に固定でき、またパイプクランプ２５は掲示板保持枠２の上下各横枠３，４に長手方向移動可能に取り付けてあるため、設置された支柱Ｐの位置に合わせてパイプクランプ２５を位置変更することにより、掲示板保持枠２を支柱Ｐに的確に固定できる。
【００１４】
請求項５に係る発明によれば、上下横枠３，４及び中間横枠７の夫々リップ９付き溝部１０にナット挿入口１５を設けることにより、上下横枠３，４及び中間横枠７に左右縦枠５，６を取り付けた後でも、各横枠３，４，７の溝部１０にナット１７，３０を挿入できるから、掲示板保持枠２の組立作業及びパイプクランプ２５の取付作業を容易となる。
【発明を実施するための最良の形態】
【００１５】
以下に本発明の好適実施形態を図面に基づいて説明すると、図１は本発明に係る選挙ポスター掲示装置の掲示板保持枠２をその表側から見た正面図、図２は同掲示板保持枠２をその裏面側から見た背面図、図３は図１の一部拡大図、図４は図２の一部拡大図である。これらの図面及び他の図面を参照して分かるように、本発明の選挙ポスター掲示装置は、ポスター掲示板１と掲示板保持枠２とからなるもので、掲示板保持枠２は、上下横枠３，４、左右縦枠５，６、中間横枠７及び中間縦枠８を枠組みすることによって形成される。ポスター掲示板１は、図１１〜図１３に示すように、アルミニウム板又はペットボトル再生板からなり、その表面にポスター貼付用区画枠線イ、貼付番号ロ、及び所要事項ハが表示されたもので、掲示板保持枠２の表面側に配置されて、掲示板１の周縁部が保持されるようになっている。
【００１６】
掲示板保持枠２の上下横枠３，４及び中間横枠７は、図５に示すように、夫々裏面側にリップ９付き溝部１０を全長に形成したアルミ押出の溝形材からなる。上横枠３は、図５の(a) 及び(d) に示すように、表面側の上縁部にポスター掲示板１の上縁部を保持する断面下向きＬ字状の掲示板上縁部保持溝１１を有し、下横枠４は、図５の(b) 及び(e) に示すように、表面側の下縁部にポスター掲示板１の下縁部を保持する断面上向きＬ字状の掲示板下縁部保持溝１３を有する。中間横枠７は、図６に示すように、裏面側にリップ９付き溝部１０を全長に形成したアルミ押出の溝形材からなる。
【００１７】
そして、上下横枠３，４及び中間横枠７には夫々裏面側のリップ９付き溝部１０の所定箇所に、図４、図６の(b) 及び図１０の(b) に示すように、中間縦枠８を組み付ける際にそれらの枠どうしを直角に位置規制するための嵌合用切欠溝１４が、溝部１０の長手方向と直交する方向に切欠形成されている。また、図４〜図６に示すように、上下横枠３，４及び中間横枠７には夫々一端部に、リップ９付き溝部１０内にナット１７を挿入するためのナット挿入口１５が設けられている。
【００１８】
また、図７，図８及び図１１に示すように、左右各縦枠５，６は、上横枠３、下横枠４及び中間横枠７の夫々の端面を塞ぐ端板部ｃと、上横枠３、下横枠４及び中間横枠７の夫々裏面側に臨む幅広側板部ｂと、それらの表面側に臨む幅狭側板部ａとを形成したアルミ押出の断面略Ｌ字状型材からなるもので、図１１から分かるように、上下横枠３，４及び中間横枠７の夫々の端部に被嵌して、幅広側板部ａから挿通したボルト１６を、上下横枠３，４及び中間横枠７のリップ９付き溝部１０に長手方向スライド自在で回転不能に予め挿入したナット１７に螺合することにより、上下横枠３，４及び中間横枠７の端部どうしを一体的に連結するようになっている。
【００１９】
また、図７の(b) 、図９及び図１０の(a) ，(b) に示すように、中間縦枠８は、アルミ押出の角筒状型材からなるもので、上下横枠３，４及び中間横枠７との組み付け部である両端部及びその中間部には、前記した上下横枠３，４及び中間横枠７の嵌合用切欠溝１４に嵌合すると共にリップ９付き溝部１０の両側壁部に嵌合する夫々一対の嵌合用切欠溝１８，１８が、中間縦枠８の長手方向と直交する方向に切欠形成されている。
【００２０】
そして各中間縦枠８には各一対の嵌合用切欠溝１８，１８間に、中間縦枠固定用のナット１９が、中間縦枠８の表側に開口するようにカシメ加工によって一体的に取り付け固定されており、このナット１９には中間縦枠固定用のビス２１がねじ込まれることになる。また中間縦枠８には、図１４の(b) に示すように、端部側嵌合用切欠溝１８，１８対と中間部側嵌合用切欠溝１８，１８対との間に、ポスター掲示板固定用のナット２０が、上記ナット１９と同様に中間縦枠８の表側に開口するようにカシメ加工により一体的に取り付け固定されており、このナット２０にはポスター掲示板固定用のビス２２がねじ込まれるようになっている。このポスター掲示板固定用ナット２０は、中間横枠７にも設けられていて、図１４の(c) に示すように、中間横枠７の表側に開口するようにカシメ加工により一体的に取り付け固定されている。
【００２１】
図２に概略示すように、掲示板保持枠２の上下各横枠３，４にはその裏面の左右両端側にパイプクランプ２５が取り付けられている。各パイプクランプ２５は、周知構造のもので、図１５の(a) ，(b) に示すように、クランプ本体２６と、このクランプ本体２６の一端部に枢着され、クランプ本体２６と共に鋼管製支柱Ｐ（図１６参照）を抱持する可動腕２７と、クランプ本体２６の他端部に枢着され、可動腕２７の遊端部に係止される締付用ボルト２８及びこれに螺合されたナット２９とによって構成され、クランプ本体２６は、このクランプ本体２６の底壁部に設けたボルト挿通孔２６ａから各横枠３，４のリップ９付き溝部１０に長手方向スライド自在で回転不能に挿入したナット３０にクランプ本体固定用ボルト３１を螺合することによって、各横枠３，４にその長手方向に沿って取付位置変更自在に取付け固定されている。
【００２２】
以上、掲示板保持枠２を枠組み構成する上下横枠３，４、左右縦枠５，６、中間横枠７及び中間縦枠８を枠組みする構造について説明したが、次に、これら上下横枠３，４及び中間横枠７を組み付けて、図１及び図２に示すような掲示板保持枠２を組み立てるには、中間縦枠８を左右方向に所定間隔おきに並べ、これら中間縦枠８の表側に上下横枠３，４及び中間横枠７を配して、各横枠３，４，７と中間縦枠８とを格子状に組み付け、この組み付けにあたっては、図１０の(a) ，(b) に示すように夫々の嵌合用切欠溝１４，１８を介して各横枠３，４，７と中間縦枠８とを互いに嵌合させる。
【００２３】
しかして、図９の(a) ，(b) に示すように、各横枠３，４，７の所定位置に設けてある皿ビス孔３３（横枠３，４，７の夫々両端部にはボルト貫通孔２３が設けてある）から、各中間縦枠８内に取り付けられた中間縦枠固定用のナット１９に、ネジ部材としての中間縦枠固定用ビス２１をねじ込んで締め付けることにより、上下横枠３，４及び中間横枠７と複数本の中間縦枠８とを互いに直角に連結固定する。
【００２４】
この場合、上下各横枠３，４及び各中間横枠７と各中間縦枠８との組み付け部は、図９及び図１０によって説明したように、組み付けられる横枠３，４，７と縦枠８とを互いに直角に位置規制するための嵌合用切欠溝１４，１８を介して、互いに嵌合させた状態で、ビス２１（ネジ部材）により連結するようにしているから、各横枠３，４，７と各縦枠８との直角度が容易に確保されると共に、上下横枠３，４及び中間横枠７と中間縦枠８との位置決めが簡単となり、これら横枠３，４，７と縦枠８との格子状組み付け作業を的確にして簡単容易に行うことができる。
【００２５】
上記のようにして上下横枠３，４及び中間横枠７と中間縦枠８とを格子状に組み付けて互いに直角に一体的に連結固定した後、左右の縦枠５，６を上下横枠３，４及び中間横枠７の両端部に夫々被嵌し、しかしてボルト１６をワッシャー３４に通して（図１１の(c)
参照）、各縦枠５，６の幅広側板部ａの端部に設けてあるボルト挿通孔２４（図７参照））から、上下横枠３，４及び中間横枠７の夫々リップ９付き溝部１０に長手方向スライド自在で回転不能に予め挿入したナット１７に螺合して締め付けることにより、上下横枠３，４及び中間横枠７の端部どうしを左右縦枠５，６で一体的に連結し、これによって極めて堅固で剛性構造の掲示板保持枠２を組み立て形成することができる。この場合、左右両方の縦枠５，６とも取り付けてしまうと、掲示板保持枠２にポスター掲示板１を挿入することができず、また各ボルト１６を最後まで締め込んでしまうと、ボルト１６の先端部が各横枠３，４，７の両端部に設けてあるボルト貫通孔２３（図５の(a) 〜(c) 及び図１１の(c) 参照）を貫通してポスター掲示板１の挿入路を塞ぐことになる（図１１(c) 参照）ため、左右両方の縦枠５，６のうち片方だけ、例えば左側縦枠５だけを取り付けておき、しかもそのボルト１６は各横枠３，４，７のボルト貫通孔２３を貫通しない程度に締め付けておく。尚、各横枠３，４，７の両端部に設けてあるボルト貫通孔２３は、後述するように、左右縦枠５，６を取り付けるボルト１６を締め込んだ時にそのボルト１６の先端部を貫通させてポスター掲示板１を掲示板保持枠２に押し付け固定するための孔である。
【００２６】
しかして、図１２に示すように、右側の縦枠６が取り付けられていない掲示板保持枠２に対し、その表面側の右端部からポスター掲示板１を差し込んで手で押しながらスライドさせて挿入し終えた後、右側縦枠６を取り付け、ポスター掲示板１を図１３に示すような状態とする。これによって、ポスター掲示板１の上縁部及び下縁部は、図１４の(a) に示すように、上横枠３の掲示板上縁部保持溝１１及び下横枠４の掲示板上縁部保持溝１３によって離脱不能に保持され、またポスター掲示板１の左右各縁部は、図１１の(b) から分かるように左右各縦枠５，６の幅狭側板部ｂによって離脱不能に保持される。
【００２７】
尚、ポスター掲示板１を掲示板保持枠２に取り付けるには、ポスター掲示板１がアルミニウム板からなる場合は、上記のようにポスター掲示板１を掲示板保持枠２の一端側から差し込めばよいし、ポスター掲示板１がペットボトル再生板からなる場合には、ポスター掲示板１の上下方向中央部を外側へ略々くの字状に湾曲させた状態でその上下縁部を上下横枠３，４の保持溝１１，１３に挿入させて嵌合保持させることができる。
【００２８】
こうして掲示板保持枠２の表面側にポスター掲示板１を嵌め込んでその周縁部を上下横枠３，４及び左右縦枠５，６により保持した状態で、ポスター掲示板１の表面側所定位置に設けた皿ビス孔３２（図１４の(b) ，(c) 参照）から中間縦枠８側及び中間横枠７側に取り付けてあるナット２０にポスター掲示板固定用ビス２２をねじ込んで、ポスター掲示板１を中間縦枠８及び中間横枠７に押し付けることにより、ポスター掲示板１を掲示板保持枠２に対し固定することができる。そしてまた、図示は省略するが、左右縦枠５，６を上下横枠３，４及び中間横枠７に固定するための各ボルト１６を、その先端部が各横枠３，４，７のボルト貫通孔２３を貫通するように十分締め込むことにより、このボルト１６の先端部でポスター掲示板１の周辺部を横枠３，４，７及び左右縦枠５，６に押し付けて固定することができる。これによって、ポスター掲示板１の全体が掲示板保持枠２に的確に固定される。尚、上記ポスター掲示板固定用ビス２２をねじ込むのは、中間縦枠８側のナット２０の数箇所のみでもよいし、あるいは中間横枠７側のナット２０の数箇所のみでもよい。
【００２９】
上記のようにして掲示板保持枠２に嵌め込んだポスター掲示板１の複数箇所をポスター掲示板固定用ビス２２で掲示板保持枠２に固定した後、図１６に示すように、選挙ポスター掲示装置の設置場所に立設された鋼管製支柱Ｐ，Ｐに対しパイプクランプ２５によって掲示板保持枠２を固定する。この場合、パイプクランプ２５は、図１５によって説明したように、掲示板保持枠２の上下各横枠３，４に長手方向移動可能に取り付けてあるから、設置された支柱Ｐの位置に合わせてパイプクランプ２５を位置変更することにより、掲示板保持枠２を支柱Ｐに的確に固定することができる。
【００３０】
上記のようにして設置した選挙ポスター掲示装置を所定期間使用した後、撤去する時には、ポスター掲示板固定用ビス２２を抜いてから左右何れかの縦枠５又は６を取り外し、ポスター掲示板１を掲示板保持枠２から引き出せばよく、しかして掲示板保持枠２は再使用することができる。
【００３１】
上述した実施形態では、嵌合用切欠溝を中間横枠７と上下及び中間の横枠３，４，７の何れにも形成しているが、この嵌合用切欠溝は、中間横枠７のみに設けてもよいし、又は横枠３，４，７のみに設けてもよい。但し、この実施形態のように、中間横枠７と上下及び中間の横枠３，４，７の何れにも嵌合用切欠溝を形成すれば、その片方のみ形成した場合よりも、上下横枠３，４及び中間横枠７と中間縦枠８との位置決めが容易となる。
【図面の簡単な説明】
【００３２】
【図１】本発明に係る選挙ポスター掲示装置の掲示板保持枠をその表側から見た正面図である。
【図２】同掲示板保持枠をその裏面側から見た背面図である。
【図３】図１の一部拡大図である。
【図４】図２の一部拡大図である。
【図５】(a) は掲示板保持枠の上横枠を表側から見た正面図、(b) は下横枠を表側から見た正面図、(c) は上下横枠を裏側から見た背面図、(d) は上横枠の端面図、(e) は下横枠の端面図である。
【図６】(a) は中間横枠を表側から見た正面図、(b) は同中間横枠を裏側から見た背面図、(c) は同中間横枠の端面図である。
【図７】(a) は左縦枠を裏側から見た背面図、(b) は中間縦枠を表側から見た正面図、(c) は右縦枠を裏側から見た背面図、(d) は左縦枠の端面図、(e) は中間縦枠の端面図、(f) は右縦枠の端面図である。
【図８】掲示板保持枠の組み立て要領を示す説明図である。
【図９】(a) は上下横枠及び中間横枠と中間縦枠との組み付け要領を示すもので、図８のＶ−Ｖ線に沿って断面したような一部断面説明図、(b) はその組み付けを終えた状態の一部断面説明図である。
【図１０】(a) は中間縦枠に嵌合用切欠溝を切欠形成した状態を示す斜視図、(b) は嵌合用切欠溝を介して上下横枠及び中間横枠と中間縦枠とを組み付ける要領を示す説明斜視図である。
【図１１】(a) は図４のＺ−Ｚ線断面図であり、上下横枠及び中間横枠と縦枠との組み付け状態を示し、(b) は上下横枠及び中間横枠に組付けられた縦枠の断面図、(c) は(a) の一部拡大図で、縦枠の幅広側板部からボルトを横枠のリップ付き溝部内のナットに螺合しようとする状態を説明している。
【図１２】掲示板保持枠にポスター掲示板を嵌め込んでいる状態の正面図である。
【図１３】掲示板保持枠にポスター掲示板を嵌め込み終えた状態の正面図である。
【図１４】(a) は図１３のＷ−Ｗ線断面図、(b) は図１３のＸ−Ｘ線断面図、(c) は図１３のＺ−Ｚ線断面図である。
【図１５】(a) は掲示板保持枠の横枠にパイプクランプを取り付けた状態を示す斜視図、(b) は同取付状態の正面図である。
【図１６】パイプクランプによって掲示板保持枠を支柱に固定した状態を示す斜視図である。
【符号の説明】
【００３３】
１          ポスター掲示板
２          掲示板保持枠
３          上横枠
４          下横枠
５，６      左右縦枠
７          中間横枠
８          中間縦枠
１０        リップ付き溝部
１１        掲示板上縁部保持溝
１３        掲示板下縁部保持溝
１４，１８  嵌合用切欠溝
１５        ナット挿入口
２３        ボルト貫通孔
２５        パイプクランプ
【図１】
2006171394.tif 000003
【図２】
2006171394.tif 000004
【図３】
2006171394.tif 000005
【図４】
2006171394.tif 000006
【図５】
2006171394.tif 000007
【図６】
2006171394.tif 000008
【図７】
2006171394.tif 000009
【図８】
2006171394.tif 000010
【図９】
2006171394.tif 000011
【図１０】
2006171394.tif 000012
【図１１】
2006171394.tif 000013
【図１２】
2006171394.tif 000014
【図１３】
2006171394.tif 000015
【図１４】
2006171394.tif 000016
【図１５】
2006171394.tif 000017
【図１６】
2006171394.tif 000018